(57)【特許請求の範囲】
【請求項１】
一体型可動式間仕切壁（１）を、二枚の壁体となる可動式間仕切壁（６・７）を連設して構成し、該可動式間仕切壁（６・７）の下部に移動輪（２２）と昇降装置（２１）を有し、側端面に係止溝（４１）を有する板状の蝶番ガイド（４０）を設け、該蝶番ガイド（４０）の係止溝（４１）に、平面視略「Ｌ」形に構成した「Ｌ」形連結具（７０）の両側を係合して、隣接する可動式間仕切壁（６・７）を直角に連結し、該蝶番ガイド（４０）は、側面視において中央に上部から下部にかけて円柱状で外方向に開放された係止溝（４１）を形成し、該係止溝（４１）の下部には、係止板（４２）を配設し、該係止溝（４１）の下端を塞いで閉じた構成とし、また、該蝶番ガイド（４０）は上下方向の長さを、「Ｌ」形連結具（７０）よりも長く構成し、該「Ｌ」形連結具（７０）に床面から天井面までの高さを有する柱体（７５）を脱着可能に配設し、該柱体（７５）により前記可動式間仕切壁（６・７）を直角に配設した際に生じる空間を塞ぐことを特徴とする間仕切壁。
【請求項２】
請求項１記載の間仕切壁において、前記柱体（７５）の「Ｌ」形連結具（７０）側に、爪状の係止フック（７７）を設けて「Ｌ」形連結具（７０）に係止したことを特徴とする間仕切壁。
【請求項３】
請求項１記載の間仕切壁において、前記「Ｌ」形連結具（７０）の両側面に係止孔（８０）を貫通開口し、該係止孔（８０）に柱体（７５）より突出した部材（７９）を嵌合させたことを特徴とする間仕切壁。
【発明の詳細な説明】
【０００１】
【発明の属する技術分野】
本発明は、間仕切壁の連結部の構造に関する。
【０００２】
【従来の技術】
従来の間仕切壁の施工においては、たとえば、壁パネルを床及び天井にビス打ちされたランナーやレールに立てこむという形態がとられていた。 該壁パネルは、移動可能とするために、単に板体を張り合わせるなどして簡易的に構成したものであり、作り付けの壁（建築壁）と比べて質感及び遮音性が乏しいものであった。 さらに、間仕切りを変更する際には、必然的にランナーやレールを取り外すこととなり、取り外した後は、ビス跡等が残ってしまい、内装を痛めてしまうことがあったのである。
そして、壁パネルの配置は、ランナーやレールの配置によって限定されてしまうため、間仕切りの構成の自由度が少なかったのである。 このため、間仕切壁において、居住者の思い通りの位置に、自由に出隅を形成することが出来なかった。
上記作業は、入念な大工工事によらなければ精度のよい立てつけが出来ず、居住者が簡単に出来るものではなかったのである。 また、壁体を移動させる際には、持ち上げて移動させるため、作業者の負担となるものであった。
【０００３】
【発明が解決しようとする課題】
従来技術の不具合点に鑑みて、本発明はランナーやレールを床及び天井に取り付けることなく、居住者が簡単に、精度よく間仕切壁の立てつけを行うことができ、さらには出隅柱を構成することを可能にする技術を提供するものである。
【０００４】
【課題を解決するための手段】
本発明の解決しようとする課題は以上のごとくであり、次に該課題を解決する為の手段を説明する。
請求項１においては、一体型可動式間仕切壁（１）を、二枚の壁体となる可動式間仕切壁（６・７）を連設して構成し、該可動式間仕切壁（６・７）の下部に移動輪（２２）と昇降装置（２１）を有し、側端面に係止溝（４１）を有する板状の蝶番ガイド（４０）を設け、該蝶番ガイド（４０）の係止溝（４１）に、平面視略「Ｌ」形に構成した「Ｌ」形連結具（７０）の両側を係合して、隣接する可動式間仕切壁（６・７）を直角に連結し、該蝶番ガイド（４０）は、側面視において中央に上部から下部にかけて円柱状で外方向に開放された係止溝（４１）を形成し、該係止溝（４１）の下部には、係止板（４２）を配設し、該係止溝（４１）の下端を塞いで閉じた構成とし、また、該蝶番ガイド（４０）は上下方向の長さを、「Ｌ」形連結具（７０）よりも長く構成し、該「Ｌ」形連結具（７０）に床面から天井面までの高さを有する柱体（７５）を脱着可能に配設し、該柱体（７５）により前記可動式間仕切壁（６・７）を直角に配設した際に生じる空間を塞ぐものである。
【０００５】
請求項２においては、請求項１記載の間仕切壁において、前記柱体（７５）の「Ｌ」形連結具（７０）側に、爪状の係止フック（７７）を設けて「Ｌ」形連結具（７０）に係止したものである。
【０００６】
請求項３においては、請求項１記載の間仕切壁において、前記「Ｌ」形連結具（７０）の両側面に係止孔（８０）を貫通開口し、該係止孔（８０）に柱体（７５）より突出した部材（７９）を嵌合させたものである。
【０００７】
【発明の実施の形態】
次に、本発明の実施の形態を、図面に基づいて説明する。図１は可動式間仕切壁の側面図、図２は同じく斜視図、図３は蝶番ガイドの平面図、図４は同じく側面図、図５は可動式間仕切パネルに蝶番ガイドを固設した状態を表す斜視図、図６は「Ｌ」形連結具の平面図、図７は同じく側面図、図８は「Ｌ」形連結具を取り付けた状態を表す斜視図、図９は「Ｌ」形連結具を上下に摺動させる図、図１０は柱体の斜視図、図１１は柱体を取り付ける状態を表す図、図１２は同じく柱体を取り付けた状態を表す平面断面図、図１３は柱体から突出した部材を嵌挿して取り付ける実施例を表す図、図１４は蝶番ガイドをチャネルで構成した実施例を表す平面図、図１５は同じく側面図、図１６は面ファスナ付「Ｌ」形プレートの側面図、図１７「Ｌ」形カバーを取り付けた実施例を表す平面断面図、図１８は連結部にカバーを取り付けた実施例の平面断面図、図１９は同じく柱体を取り付けた間仕切壁の斜視図、図２０は複数の可動式間仕切壁を直角に配設した図、図２１は複数の可動式間仕切壁を連接して出隅を形成した図である。
【０００８】
まず、図１を用いて一体型可動式間仕切壁１の概要について説明する。 図１に示すように、一体型可動式間仕切壁１は、二枚の壁体となる可動式間仕切壁６・７を連設することで構成されている。該可動式間仕切壁６・７は、グラスウール等の吸音材１１を、二枚の木製又は石膏ボード等の化粧板１０・１０で挟むようにして構成されている。該吸音材１１の端面には、溝型鋼３（図５に示す）が取り付けられ、二枚の化粧板１０・１０に内装される構成としている。 上下中央部には、補強板８を横木として内装し、壁全体の強度を向上させている。そして、後述する連結具を取り付ける蝶番ガイド４０・４０・・・と、隣接する可動式間仕切壁６・７を水平に配列させるためのガイド具９・９・・・（後述する）を、前記溝型鋼３の上部及び下部の二箇所に配設している。但し、この配置数は１以上として限定するものではない。
【０００９】
そして、該可動式間仕切壁６・７の上部には、押しバネ４・４により上下方向に可動とする幕板２が配設されている。一方、該可動式間仕切壁６・７の下部には、昇降装置２１及び移動輪としての移動キャスター２２・２２を内装した昇降部２０が配設されている。このように構成し、本実施例の可動式間仕切壁６・７は、キャスター２２・２２によって移動可能とし、さらに該昇降装置２１により昇降可能とすることで、上昇時に天井に対して前記幕板２を当接させることによって、天井と床面の間で突っ張らせることによって設置するものである。 また、可動式間仕切壁７の右端面には、調整間柱１７及び伸縮装置１６を内装した横幅伸縮部１５が、取り外し可能に配設されている。
【００１０】
そして、図２に示されるように、以上のごとく構成された一体型可動式間仕切壁１は、二枚の可動式間仕切壁６・７の開閉角度を設定して間仕切りを行うものである。
【００１１】
まず、図３及び図４を用いて、蝶番ガイド４０について説明する。該蝶番ガイド４０の表面には、側面視において中央に上部から下部にかけて円柱状で外方向に開放された係止溝４１が形成されている。 該係止溝４１の下部には、係止板４２が配設され、該係止板４２により、係止溝４１の下端を塞いで閉じた構成としている。 さらに、該蝶番ガイド４０の表面には、ボルト挿嵌孔４３・４３が複数（本実施例で四箇所）穿設されている。該蝶番ガイド４０は、金属製としてもよいし、また合成樹脂等を素材として用いてもよい。また、該蝶番ガイド４０は上下方向の長さを後述する「Ｌ」形連結具７０よりも長く構成している。 これは、前述の昇降装置２１によって、連結される可動式間仕切壁６・７の高さが異なった際には、一方の蝶番ガイド４０が「Ｌ」形連結具７０を押し上げることとなるため、「Ｌ」形連結具７０がもう一方（低い位置にある可動式間仕切壁）の蝶番ガイド４０の係止溝４１から外れないように、蝶番ガイド４０上での摺動の幅を大きくとるためである。
【００１２】
また、図５に示すごとく、吸音材１１・１１の横幅は、化粧板１０・１０よりも短く構成して、端部は平面視「コ」形の溝型鋼３で構成することにより、可動式間仕切壁６・７の端部は、該溝型鋼３を化粧板１０・１０で内装する構成としている。尚、該溝型鋼３は「コ」 形に限ることなく、いわゆるＣチャンネル（リップ溝型鋼）でもよい。そして、該溝型鋼３の底面に、前記蝶番ガイド４０を固設させる。固設された状態では、該蝶番ガイド４０は、化粧板１０・１０の間に完全に内装される構成としている。
【００１３】
次に、図６および図７を用いて、連結具として用いられる平面視「Ｌ」形に構成した連結具（以下「Ｌ」形連結具７０とする）について説明する。該「Ｌ」形連結具７０は平面視において、略「Ｌ」字形をなしており、端部を円柱状の係止部７１・７１としている。 該係止部７１・７１は、前記蝶番ガイド４０の係止溝４１に挿嵌され、摺動可能となるように構成されるものである。該「Ｌ」形連結具７０は、金属製としてもよいし、また合成樹脂等を部材として用いてもよい。
【００１４】
以上のごとく構成された「Ｌ」形連結具７０を使用して、二枚の可動式間仕切壁６・７を直角に配設する実施例を図８及び図９を用いて説明する。図８に示すごとく、可動式間仕切壁６・７を直角となるように配設する。そして、蝶番ガイド４０の係止溝４１に、「Ｌ」形連結具７０の係止部７１・７１を合わせるようにして、蝶番ガイド４０の上から該「Ｌ」形連結具７０を挿入するのである。
【００１５】
また、前述のごとく、本実施例の可動式間仕切壁６・７は天井と床面の間を突っ張らせて設置するため、可動式間仕切壁６・７の昇降作業の際には、必然的にお互いの蝶番ガイド４０・４０の高さが異なることになる。 図９に示すように、可動式間仕切壁６が前記昇降装置２１によって上に移動した場合は、「Ｌ」形連結具７０は、蝶番ガイド４０に対して、摺動自由に挿嵌されているので、可動式間仕切壁６の蝶番ガイド４０の係止板４２に係止することで上に持ち上げられるのである。すなわち、「Ｌ」形連結具７０は、可動式間仕切壁６・７を上下方向に個別に昇降可能としたまま連結をしているのである。さらに、前述のごとく、該蝶番ガイド４０は上下方向の長さを「Ｌ」形連結具７０よりも長く構成しているので、該「Ｌ」形連結具７０が蝶番ガイド４０から外れてしまうことがないのである。
【００１６】
次に、本発明の柱体７５について説明する。 図１０に示すごとく、断面視「Ｌ」形の角柱７６における凹部側の内面で上下方向の適宜位置、本実施例では上下二箇所に、それぞれ係止フック７７・７７を配設している。そして、該柱の最上部に方形の天板７８が固定されている。 尚、柱体７５の外装は、前記可動式間仕切壁６・７と同じとする。 そして、前記「Ｌ」形連結具７０を取り付けた「Ｌ」形の可動式間仕切壁に、該柱体７５の係止フック７７・７７を、「Ｌ」形連結具７０に上から引っ掛けるようにして取り付けるのである。 なお、該係止フック７７は本実施例ではＬ形に構成しているが、限定するものではない。
【００１７】
このようにして、図１２に示すごとく、可動式間仕切壁６・７を直角に配設した際に生じる空間を塞ぎ、二枚の可動式間仕切壁６・７と該柱体７５によって構成される一体型可動式間仕切壁１が形成されるのである。
【００１８】
また、図１３に示すごとく、前記係止フック７７・７７を平面視コ形の部材７９・７９とし、前記「Ｌ」形連結具７０に係止孔８０・８０を設け、該係止孔８０・８０に部材７９・７９を嵌合させるようにして、柱体７５を可動式間仕切壁に取り付けるようにしてもよい。 但し、係止孔８０の形状は限定するものではなく、四角形や丸等に構成することができ、部材７９は先端部が係止孔８０に挿入過程では縮まり、嵌合後は元の大きさに戻り、容易に抜けない構造であれば良い。
【００１９】
さらに、前記蝶番ガイド４０と「Ｌ」形連結具７０の構成は、上記のものに限るものでない。 たとえば、図１４及び図１５に示すごとく、平面視「コ」形のチャネル９０を一回り大きなチャネル９１に、チャネル９０外側面とチャネル９１の内側面の間に空間を持たせるように重ね、リベット９２・９２を両チャネル９０・９１の上部に貫通させて結合する。さらに、前記溝型鋼３に固設するための固設孔９３・９３が、両チャネル９０・９１の溝底部を貫通している。 また、前記「Ｌ」形連結具７０を、図１６に示すごとく、側面視Ｌ形のリベットガイド９４（蝶番プレート３２の下部から上部にかけて溝を形成している）を貫通させた面ファスナ付「Ｌ」形プレート９５として構成する。 該面ファスナ付「Ｌ」形プレート９５は、角部を４５度の平面に構成し、該角部には面ファスナ９６ａが係止面を外側に向けて貼設されている。
【００２０】
さらに、図１７に示すごとく、床面から天井面にかけての高さを有する「Ｌ」形カバー９７の内側に４５度の内側面９８を構成し、該内側面９８の面ファスナ付「Ｌ」形プレート９５側には、前記面ファスナ９６ａと対向させる位置に面ファスナ９６ｂが貼設されている。 以上のようにして、面ファスナ付「Ｌ」形プレート９５のリベットガイド９４をリベット９２に合わせて挿入して、チャネル９０・９１で挟むようにして装着する。そして、面ファスナ９６ａに対して面ファスナ９６ｂを接着させ、「Ｌ」形カバー９７を可動式間仕切壁６・７に装着するのである。装着時においては、「Ｌ」形カバー９７が可動式間仕切壁６・７を直角に配した際に生じる空間がカバーされ、外見上、出隅柱として機能するのである。
【００２１】
次に図１８を用いて、前記「Ｌ」形連結具７０に可動式間仕切壁６・７と同じ高さの板状のカバー５２を取り付けた実施例を説明する。図１７に示すごとく、本実施例では、カバー５２を取り付ける係止部５３を配設した「Ｌ」形の金具５４を用いる。該金具５４は三枚のプレートで構成され、クランク状に曲げた第一プレート５４ａと、杓状に曲げた第二プレート５４ｂと、「へ」字状に曲げた第三プレート５４ｃよりなり、第一プレート５４ａと第二プレート５４ｂは一端に前記「Ｌ」形連結具７０の係止部７１・７１と同様に、その形状を円柱形状としている。そして、折り曲げた一つの面を化粧板１０の内面に当接するようにして強度アップを図っている。そして、第一プレート５４ａから第三プレート５４ｃを突出している。なお、第一プレート５４ａと第二プレート５４ｂと第三プレート５４ｃは別々に構成しているが、一体的に構成することも可能である。前記係止部５３は金具５４から外側に延出して配設される。該係止部５３の高さは、金具５４と同じ高さとする。
【００２２】
そして、カバー５２の端面は、可動式間仕切壁６・７の外側の化粧板１０・１０に当接しており、断面視において該化粧板１０・１０の間を塞ぐように構成している。該カバー５２の高さは、可動式間仕切壁６・７と同じ高さとして、ゴムや合成樹脂などを部材とするものである。また、該カバー５２の前記金具５４側には、前記金具５４と同じ高さの位置に係止溝部５５が延出して配設され、前記金具５４の係止部５３に嵌合することで、該カバー５２が可動式間仕切壁６・７に固定されている。以上のように構成し、可動式間仕切壁６・７の連結部を上から下まで覆っているのである。なお、可動式間仕切壁６・７と外装を同じくして、外見上の一体感を向上させるようにするのが望ましい。
【００２３】
以上のように構成して、図１９に示すごとく、二枚の可動式間仕切壁６・７を直角に連結してなる一体型可動式間仕切壁１を構成するのである。 図１９は前記柱体７５を取り付けた実施例を表すもので、外見上出隅柱としての機能を果たしている。
【００２４】
さらに、図２０及び図２１に示すごとく、複数の一体型可動式間仕切壁１・１・・・を用いて連接させる際においても、連結部に前記柱体７５を取り付けることで出隅柱を形成するのである。 なお、複数の一体型可動式間仕切壁１・１・・・を複数配設する際は、前記横幅伸縮部１５を取り外して、追加して連設される一体型可動式間仕切壁１を配設するものとする。
【００２５】
【発明の効果】
本発明は以上のごとく構成したので、次のような効果を奏するのである。
請求項１の如く、一体型可動式間仕切壁（１）を、二枚の壁体となる可動式間仕切壁（６・７）を連設して構成し、該可動式間仕切壁（６・７）の下部に移動輪（２２）と昇降装置（２１）を有し、側端面に係止溝（４１）を有する板状の蝶番ガイド（４０）を設け、該蝶番ガイド（４０）の係止溝（４１）に、平面視略「Ｌ」形に構成した「Ｌ」形連結具（７０）の両側を係合して、隣接する可動式間仕切壁（６・７）を直角に連結し、該蝶番ガイド（４０）は、側面視において中央に上部から下部にかけて円柱状で外方向に開放された係止溝（４１）を形成し、該係止溝（４１）の下部には、係止板（４２）を配設し、該係止溝（４１）の下端を塞いで閉じた構成とし、また、該蝶番ガイド（４０）は上下方向の長さを、「Ｌ」形連結具（７０）よりも長く構成し、該「Ｌ」形連結具（７０）に床面から天井面までの高さを有する柱体（７５）を脱着可能に配設し、該柱体（７５）により前記可動式間仕切壁（６・７）を直角に配設した際に生じる空間を塞ぐので、外見上は出隅柱として機能し、可動式間仕切壁６・７によって構成される連設部の質感を向上させ、作り付けの柱や建築壁と同様の質感を持たせることができるのである。
さらに、「Ｌ」形連結具７０により連結されているため、隣接する可動式間仕切壁６・７を精度よく直角に連結することができるのである。
そして、以上の作業は居住者によって簡単に行うことができるのである。 すなわち、従来の技巧が必要な大工工事によることなくなるので、居住者は気軽に間仕切りの変更を行うことができるのである。
【００２６】
請求項２に記載の如く、前記柱体の連結具側に爪状の係止フックを設けて連結具に係止したので、外見上は出隅柱として機能し、可動式間仕切壁６・７によって構成される連設部の質感を向上させ、作り付けの柱や建築壁と同様の質感を持たせることができるのである。
さらに、「Ｌ」形連結具７０により連結されているため、隣接する可動式間仕切壁６・７を精度よく直角に連結することができるのである。
そして、以上の作業は居住者によって簡単に行うことができるのである。 すなわち、従来の技巧が必要な大工工事によることなくなるので、居住者は気軽に間仕切りの変更を行うことができるのである。
【００２７】
請求項３に記載の如く、前記連結具の両側面に係止孔を貫通開口し、該係止孔に柱体より突出した部材を嵌合させたので、外見上は出隅柱として機能し、可動式間仕切壁６・７によって構成される連設部の質感を向上させ、作り付けの柱や建築壁と同様の質感を持たせることができるのである。
さらに、「Ｌ」形連結具７０により連結されているため、隣接する可動式間仕切壁６・７を精度よく直角に連結することができるのである。
そして、以上の作業は居住者によって簡単に行うことができるのである。 すなわち、従来の技巧が必要な大工工事によることなくなるので、居住者は気軽に間仕切りの変更を行うことができるのである。
【図面の簡単な説明】
【図１】  可動式間仕切壁の側面図である。
【図２】  同じく斜視図である。
【図３】  蝶番ガイドの平面図である。
【図４】  同じく側面図である。
【図５】  可動式間仕切パネルに蝶番ガイドを固設した状態を表す斜視図である。
【図６】  「Ｌ」形連結具の平面図である。
【図７】  同じく側面図である。
【図８】  「Ｌ」形連結具を取り付けた状態を表す斜視図である。
【図９】  「Ｌ」形連結具を上下に摺動させる図である。
【図１０】  柱体の斜視図である。
【図１１】  柱体を取り付ける状態を表す図である。
【図１２】  同じく柱体を取り付けた状態を表す平面断面図である。
【図１３】  柱体から突出した部材を嵌挿して取り付ける実施例を表す図である。
【図１４】    蝶番ガイドをチャネルで構成した実施例を表す平面図である。
【図１５】    同じく側面図である。
【図１６】  面ファスナ付「Ｌ」形プレートの側面図である。
【図１７】  「Ｌ」形カバーを取り付けた実施例を表す平面断面図である。
【図１８】  連結部にカバーを取り付けた実施例の平面断面図である。
【図１９】  同じく柱体を取り付けた間仕切壁の斜視図である。
【図２０】  複数の可動式間仕切壁を直角に配設した図である。
【図２１】  複数の可動式間仕切壁を連接して出隅を形成した図である。
【符号の説明】
１  一体型可動式間仕切壁
６  可動式間仕切壁
７  可動式間仕切壁
４０  蝶番ガイド
４１  係止溝
７０  「Ｌ」形連結具
７１  係止部
７５  柱体
７６  角柱
７７  係止フック
【図１】
0003872940.tif 000002
【図２】
0003872940.tif 000003
【図３】
0003872940.tif 000004
【図４】
0003872940.tif 000005
【図５】
0003872940.tif 000006
【図６】
0003872940.tif 000007
【図７】
0003872940.tif 000008
【図８】
0003872940.tif 000009
【図９】
0003872940.tif 000010
【図１０】
0003872940.tif 000011
【図１１】
0003872940.tif 000012
【図１２】
0003872940.tif 000013
【図１３】
0003872940.tif 000014
【図１４】
0003872940.tif 000015
【図１５】
0003872940.tif 000016
【図１６】
0003872940.tif 000017
【図１７】
0003872940.tif 000018
【図１８】
0003872940.tif 000019
【図１９】
0003872940.tif 000020
【図２０】
0003872940.tif 000021
【図２１】
0003872940.tif 000022